(57)【要約】ボードブックは各々が互いに接合された複数の枚葉状ページ片を備えている。各枚葉状ページ片は発泡ボードと、この発泡ボードの両面に設けられた耐水性の表面シートとを有している。各表面シートは合成紙からなる基材と、基材に設けられた絵柄と、絵柄を覆う透明樹脂層とを有している。
2003041967.tif 000002
【特許請求の範囲】
【請求項１】
各々が互いに接合された複数の枚葉状のページ片を備え、
各枚葉ページ片は発泡ボードと、この発泡ボードの両面に設けられた耐水性の表面シートとを有し、
各表面シートは絵柄を含むことを特徴とするボードブック。
【請求項２】
各表面シートは耐水性を有し、表面に絵柄が印刷された基材と、基材のうち絵柄が印刷された表面を覆う耐候性の透明樹脂層とを有することを特徴とする請求項１記載のボードブック。
【請求項３】
基材は合成紙からなることを特徴とする請求項２記載のボードブック。
【請求項４】
各ページ片はリング状締結具により互いに綴じ合わされていることを特徴とする請求項１記載のボードブック。
【請求項５】
各ページ片間において、各々の表面シートが連結され、これにより各ページ片が結合されていることを特徴とする請求項１記載のボードブック。
【請求項６】
発泡ボードは、発泡ポリスチレン、発泡ポリエチレン、発泡ポリプロピレン、発泡ポリウレタン、発泡ポリエチレンテレフタレート、発泡エラストマーから選ばれたものであることを特徴とする請求項１に記載のボードブック。
【請求項７】
表面シートは、液体吸収容積が２ｍｌ／ｍ２以上であることを特徴とする請求項１に記載のボードブック。
【発明の詳細な説明】
技  術  分  野
本発明は、特に幼児向けの絵本や学習本に好適に用いられるボードブックに関する。
背  景  技  術
一般に、ボードブックと呼ばれる本（厚紙ブックとも言う）は、合紙と呼ばれる厚手の紙を貼り合わせて製本したものである。ボードブックのうち表紙を含む各ページは、それぞれ厚みがあって簡単には折れ曲がらないようになっており、主に幼児を含む子供向けの絵本を中心に利用されている。
従来より利用されている所謂ボードブックは、上記したように厚手の紙からなっているため、幼児が持つには重いものであり、つかむ力が足らずに落としたりすると、落下して足に怪我をするなどの恐れがあるという問題がある。また、耐水性がないため、お風呂に持ち込んで読むことができないという問題もある。さらに使用する厚紙やその製本形態が特殊であるため、価格的には通常の本より高価なものとなっている。
発  明  の  開  示
本発明は、このような点を考慮してなされたものであり、製造コストが低く、使用時には軽量で扱いやすく、しかもお風呂の中でも読める耐水性に優れたボードブックを提供することを目的とする。
本発明は、各々が互いに接合された複数の枚葉状のページ片を備え、各枚葉ページ片は発泡ボードと、この発泡ボードの両面に設けられた耐水性の表面シートとを有し、各表面シートは絵柄を含むことを特徴とするボードブックである。
本発明は、各表面シートは耐水性を有し、表面に絵柄が印刷された基材と、基材のうち絵柄が印刷された表面を覆う耐候性の透明樹脂層とを有することを特徴とするボードブックである。
本発明は、基材は合成紙からなることを特徴とするボードブックである。
本発明は、各ページ片はリング状締結具により互いに綴じ合わされていることを特徴とするボードブックである。
本発明は、各ページ片間において、各々の表面シートが連結され、これにより各ページ片が結合されていることを特徴とするボードブックである。
本発明は、発泡ボードは、発泡ポリスチレン、発泡ポリエチレン、発泡ポリプロピレン、発泡ポリウレタン、発泡ポリエチレンテレフタレート、発泡エラストマーから選ばれたものであることを特徴とするボードブックである。
本発明は、表面シートは、液体吸収容積が２ｍｌ／ｍ２以上であることを特徴とするボードブックである。
発明の実施の形態
次に、本発明の実施の形態について図面を参照しながら説明する。
図１は本発明に係るボードブックの一例を示す斜視図であり、図示のボードブックＢは、発泡ボードを主体とする枚葉状の６枚のページ片１を備え、各ページ片１はスパイラル状のリング２により綴じ合わされている。具体的には、各ページ片１における一方の短辺に沿って複数個の綴孔１ａを打抜き形成し、その綴孔１ａにスパイラル状のリング２を通すことで６枚のページ片１が閉じ合わされている。このように複数のページ片１を綴じることにより、ボードブックＢを任意のページで折り返して開くことができる。なお、スパイラル状のリング２としては、軽量化を図るため及び耐水性を考慮して樹脂製のものを使用するのが好ましく、またスパイラル状のリング２の両端は抜け止め加工を施しておくことが好ましい。
各ページ片１は、図２の断面図に示すように、発泡ポリスチレンからなる発泡ボード３と、この発泡ボード３の両面に貼り合わされるとともに絵柄１２を有する耐水性の表面シート４とを有している。この表面シート４は、耐水性のある合成紙からなる基材１１を有し、その基材１１に絵柄インキを印刷して絵柄１２が形成されている。また基材１１上に絵柄１２を覆うように耐候性のある透明樹脂層１３が設けられている。このようなページ片１を綴じ合わせて構成したボードブックＢは、水に浮くほど軽量なものとなる。
発泡ボード３と表面シート４の貼り合わせ方法としては、各種接着剤を用いることができ、水系接着剤、ホットメルト接着剤、または感圧接着剤が好ましい。水系接着剤としては、例えば、澱粉糊、カゼイン、ポリビニルアルコールなどの水溶液、酢酸ビニル系重合体などのエマルジョン型のものを使用することができる。水系接着剤は発泡ボード３または表面シート４の表面に秤量が０．５〜２５ｇ／ｍ２となるように塗布される。
又、ホットメルト接着剤としてはエチレン・酢酸ビニル共重合体、低密度ポリエチレン、エチレン・（メタ）アクリル酸共重合体の金属塩（いわゆるサーリン）、塩化ポリエチレン、塩化ポリプロピレンなどを使用することもできる。
水系接着剤剤を使用する場合は、発泡ボード３表面に水系接着剤剤を塗布し、次いで、表面シート４を重ね、圧着ロールで加圧接着すればよく、ホットメルト接着剤を使用する場合は、発泡ボード３表面上にダイより溶融フィルム状に押し出してラミネートし、次いで、表面シート４を重ね、圧着ロールで加圧接着すればよい。
発泡ボード３としては、発泡ポリスチレンの他、発泡ポリエチレン、発泡ポリプロピレン、発泡ポリウレタン、発泡ポリエチレンテレフタレート、発泡エラストマーなどが使用できる。なかでも、発泡ポリスチレン、発泡ポリプロピレンが好ましく、発泡後においてガスの発生が極力少ないタイプの特殊なスチレン樹脂を用いて作製したスチレンボードを使用するのが更に好ましい。ボードからのガスの発生が多いと、表面シート４との間に気泡が発生して膨れが生じるからである。
また、表面シート４の基材１１は、耐水性があるとともにオフセット印刷が可能な合成紙を使用するのが好ましい。すなわち、発泡ボード３に直に印刷するにはシルクスクリーン印刷などを用いる必要がある。これに対して本発明によれば表面シート４に通常のオフセット用インキを用いてオフセット印刷で絵柄１２を形成することができ、再現性がよく、また印刷費用によるコストアップを防止できる。
このような合成紙としては、ポリエステル系合成紙、ポリオレフィン系合成紙を用いることができ、白色度（ＪＩＳ  Ｌ−１０１５に準拠）８０〜１００％、好ましくは８５〜１００％、不透明度（ＪＩＳ  Ｐ−８１３８に準拠）７０〜１００％、好ましくは８５〜１００％である。白色度が８０％未満では絵柄インキによる印刷は不明瞭になり、また不透明度が７０％未満では裏面に印刷が透けるなどの問題がある。特に、ポリオレフィン系合成紙としては、不透明度を７０％以上にするために、少なくとも一軸方向に延伸された無機または有機フィラーを含有したポリオレフィンフィルムよりなり、フィルム内部に無機または有機フィラーを核としたボイドを形成したものが好ましい。このようなポリオレフィン系合成紙の具体的なものとしては、（株）ユポ・コーポレーション製のユポＦＰＧ９５（商品名）、ＦＧＳ９５（商品名）などが挙げられる。
これら合成紙は、必要により表面の印刷性改良や水や溶剤吸収性の改善のためにコート層をもうけても良い。
発泡ボード３と表面シート４の貼り合わせに水系接着剤を使用する場合には、合成紙表面のＪａｐａｎ  ＴＡＰＰＩ  Ｎｏ．５１−８７に準拠するＢｒｉｓｔｏｗ吸水性試験により定義される液体吸収容積が２ｍｌ／ｍ２以上、好ましくは５〜５０ｍｌ／ｍ２である。
液体吸収容積が２ｍｌ／ｍ２未満では、水系接着剤の余分な水分により、乾燥が遅く、接着が不十分である。
上記のように、基材１１には通常のオフセットインキと同様の絵柄インキを用いて絵柄１２を形成することができる。その絵柄１２を覆う透明樹脂層１３は、紫外線硬化型樹脂などの耐候性に優れた透明樹脂をオーバーコートすることにより形成される。もしくはコーティング、フィルムラミネーションにより透明樹脂層１３を形成することができる。このように耐候性のある透明樹脂層１３で絵柄１２を覆うことにより絵柄１２が保護され、特に石鹸に対する強度が出て絵柄１２の剥離を防止することができる。
図３は本発明に係るボードブックの別の例を示す斜視図であり、図示のボードブックＢ’は図１に示したボードブックＢと同様の６枚のページ片１を備えている。各ページ片１は各々の背の部分で接合されている。具体的には、隣接するページ片１の相対する表面シート４が連続した１枚もので形成されることによって各ページ片１が接合される。さらに表側と裏側に位置する２枚のページ片１について、各々の外側の表面シート４が１枚もので形成される。このように表側と裏側の２枚のページ片の外側の表面シート４を用いて各ページ片１の背の部分をくるむことにより全体が接合されている。
以上、本発明を実施の形態に基づいて詳細に説明してきたが、本発明のボードブックは上述した実施の形態に何ら限定されるものではなく、本発明の趣旨を逸脱しない範囲において種々の変更が可能であることは言うまでもない。
本発明のボードブックは、絵柄を有する耐水性の表面シートを発泡ボードの両面にそれぞれ貼り合わせて枚葉状のページ片を作製し、そのページ片を複数枚綴じ合わせたことを特徴としている。このため従来の厚紙で作ったボードブックの特徴であるページの厚みを保ちながら、極めて軽量で耐水性をもたせることができる。これにより幼児にとって扱いやすく安全なものとなり、お風呂やプールなどの水のあるところでも使用することができる。
また、表面シートとして、基材に耐水性のある合成紙を使用し、その基材に絵柄インキを印刷して絵柄を形成し、さらにその絵柄を覆うように耐候性のある透明樹脂層を形成したものを用いることにより、絵柄をコストの低いオフセット印刷で形成できる。このため印刷費用によるコストアップが抑えられ、しかも風呂場などで使用する際に石鹸に対しても絵柄インキが剥がれることが少ない。
【図面の簡単な説明】
図１は、本発明に係るボードブックの一例を示す斜視図である。
図２は、本発明のボードブックを構成するページ片の断面図である。
図３は、本発明に係るボードブックの別の例を示す斜視図である。
【図１】
2003041967.tif 000003
【図２】
2003041967.tif 000004
【図３】
2003041967.tif 000005
【国際調査報告】
2003041967.tif 000006
2003041967.tif 000007
2003041967.tif 000008
2003041967.tif 000009